(57)【特許請求の範囲】
【請求項１】
電圧を供給する発電素子を備え、且つ、複数の情報を表示する表示装置であって、
前記複数の情報のいずれかを表示する表示手段と、
前記表示手段に一度に表示される情報毎にページ情報と対応させて前記複数の情報を記憶し、ページ情報とフラグ情報とを対応付けて記憶する記憶手段と、
前記発電素子から前記表示装置に供給される前記電圧が低下して前記表示装置がリセットされた後に、前記記憶手段のフラグ情報に対応する前記ページ情報を参照する演算手段と、
前記演算手段によって参照された前記ページ情報から前記ページ情報に対応する、前記表示手段に一度に表示される情報を前記表示手段に表示するように制御する表示制御手段と、
を備え、
前記演算手段は、前記表示装置に供給される前記電圧が低下して前記表示装置がリセットされた後に、前記表示装置に前記電圧が印加されて前記演算手段が動作を開始する場合に前記記憶手段のフラグ情報に対応する前記ページ情報を参照し、その後に、前記フラグ情報をインクリメントし、インクリメントした前記フラグ情報に対応する前記ページ情報が無い場合には、前記フラグ情報を最初に前記表示手段に表示されるべき情報に対応した前記ページ情報に対応する値に設定することを特徴とする表示装置。
【請求項２】
電圧を供給する発電素子を備え、且つ、複数の情報を表示する表示装置であって、
前記複数の情報のいずれかを表示する表示手段と、
前記表示手段に一度に表示される情報毎にページ情報と対応させて前記複数の情報を記憶し、ページ情報とフラグ情報とを対応付けて記憶する記憶手段と、
前記発電素子から前記表示装置に供給される前記電圧が低下して前記表示装置がリセットされた後に、前記記憶手段のフラグ情報に対応する前記ページ情報を参照する演算手段と、
前記演算手段によって参照された前記ページ情報から前記ページ情報に対応する、前記表示手段に一度に表示される情報を前記表示手段に表示するように制御する表示制御手段と、
を備え、
前記演算手段は、前記表示装置に供給される前記電圧が低下して前記表示装置がリセットされた後に、前記表示装置に前記電圧が印加されて前記演算手段が動作を開始する場合に、前記フラグ情報を最初に前記表示手段に表示されるべき情報に対応した前記ページ情報に対応する値に設定してから、前記記憶手段のフラグ情報に対応する前記ページ情報を参照し、その後に前記フラグ情報をインクリメントし、インクリメントした前記フラグ情報に対応する前記ページ情報が無い場合には、前記フラグ情報を最初に前記表示手段に表示されるべき情報に対応した前記ページ情報に対応する値に設定することを特徴とする表示装置。
【請求項３】
請求項２に記載の表示装置において、
前記発電素子が発生する発電電圧を検出する電圧検出手段をさらに備え、
前記電圧検出手段が第１電圧よりも高い第２電圧を超える電圧を検出した後に、前記第１電圧と前記第２電圧との間の電圧を検出し、その後に前記第２電圧を超える電圧を検出した場合に、前記演算手段は前記記憶手段のフラグ情報に対応する前記ページ情報を参照し、前記フラグ情報をインクリメントし、インクリメントした前記フラグ情報に対応する前記ページ情報が無い場合には、前記フラグ情報を最初に前記表示手段に表示されるべき情報に対応した前記ページ情報に対応する値に設定することを特徴とする表示装置。
【請求項４】
請求項３に記載の表示装置において、
前記第１電圧は、前記演算手段での動作が保証されている電圧以下の電圧であり、前記第２電圧は、前記演算手段での動作が保証されている電圧であることを特徴とする表示装置。
【請求項５】
請求項１乃至請求項４のいずれか一項に記載の表示装置において、
前記発電素子から発生した前記電圧は、電力供給手段に蓄電され、すくなくとも前記記憶手段と前記演算手段は前記電力供給手段に蓄電された前記電圧が供給されることを特徴とする表示装置。
【請求項６】
請求項１乃至請求項５のいずれか一項に記載の表示装置において、
前記発電素子は太陽電池であることを特徴とする表示装置。
【請求項７】
電圧を供給する発電素子と、記憶手段と、を備え、且つ、複数の情報を表示する表示装置において実行される制御方法であって、
前記複数の情報のいずれかを表示する表示工程と、
前記表示工程において一度に表示される情報毎にページ情報と対応させて前記複数の情報を前記記憶手段に記憶し、ページ情報とフラグ情報とを対応付けて前記記憶手段に記憶する記憶工程と、
前記発電素子から前記表示装置に供給される前記電圧が低下して前記表示装置がリセットされた後に、前記記憶手段のフラグ情報に対応するページ情報を参照する演算工程と、
前記演算工程において参照された前記ページ情報から前記ページ情報に対応する、前記表示工程において一度に表示される情報を前記表示工程において表示するように制御する表示制御工程と、
を備え、
前記演算工程において、前記表示装置に供給される前記電圧が低下して前記表示装置がリセットされた後に、前記表示装置に前記電圧が印加されて前記演算工程が開始される場合に前記記憶工程におけるフラグ情報に対応する前記ページ情報を参照し、その後に、前記フラグ情報をインクリメントし、インクリメントした前記フラグ情報に対応する前記ページ情報が無い場合には、前記フラグ情報を、前記表示工程において最初に表示されるべき情報に対応した前記ページ情報に対応する値に設定することを特徴とする表示装置の制御方法。
【請求項８】
電圧を供給する発電素子と、複数の情報のいずれかを表示する表示手段と、を備える表示装置に含まれるコンピュータを、
前記表示手段に一度に表示される情報毎にページ情報と対応させて前記複数の情報を記憶し、ページ情報とフラグ情報とを対応付けて記憶する記憶手段、
前記発電素子から前記表示装置に供給される前記電圧が低下して前記表示装置がリセットされた後に、前記記憶手段のフラグ情報に対応するページ情報を参照する演算手段、及び、
前記演算手段によって参照された前記ページ情報から前記ページ情報に対応する、前記表示手段に一度に表示される情報を前記表示手段に表示するように制御する表示制御手段、
として機能させ、
前記演算手段は、前記表示装置に供給される前記電圧が低下して前記表示装置がリセットされた後に、前記表示装置に前記電圧が印加されて前記演算手段の動作が開始される場合に前記記憶手段のフラグ情報に対応する前記ページ情報を参照し、その後に、前記フラグ情報をインクリメントし、インクリメントした前記フラグ情報に対応する前記ページ情報が無い場合には、前記フラグ情報を最初に前記表示手段に表示されるべき情報に対応した前記ページ情報に対応する値に設定する機能を発揮することを特徴とする表示装置の制御プログラム。
【発明の詳細な説明】
【技術分野】
【０００１】
本発明は、発電素子を電力供給用素子として搭載する表示機能を有するカードにおいて、表示データを発電素子によって切り替える表示装置、表示装置の制御方法、および表示装置の制御プログラムに関する。
【背景技術】
【０００２】
従来から、ＩＣカード等の表示装置に表示されるデータの表示を切り替える手法として、表示装置に複数ある太陽電池等の発電素子のいずれかをユーザが指などで覆ったときに、いずれの太陽電池セルが操作されたか否かを操作判定部が各電圧検出部の検出結果に基づき判定し、判定結果を信号処理部に通知し、ユーザが実行した入力操作を判定し、判定された操作対象に対応する処理を行う方法が、例えば、特許文献１に記載されている。
【０００３】
また、表示装置に表示されるデータの順番を決定する場合に、未使用の電子チケットのうち、もっとも早い、すなわちもっとも先に使用された電子チケット情報の表示順位を高くしたり、使用済の電子チケットのうち、もっとも遅い、すなわち直前の電子チケット情報の表示順位を高くしたりすることにより、ユーザがもっとも必要とする情報を表示することが可能となる表示順位決定部を有する技術が、例えば、特許文献２に記載されている。
【先行技術文献】
【特許文献】
【０００４】
【特許文献１】特開２００８−２１０１８号公報
【特許文献１】特開２００９−２３０２６８号公報
【発明の概要】
【発明が解決しようとする課題】
【０００５】
しかしながら、例えば、特許文献１に記載の従来技術では、複数の発電素子の一つ一つに操作ボタンとしての一義的な意味合いを持たせることによって、操作ボタンの数が増加してしまい、表示装置の大型化に繋がってしまうという課題がある。また操作ボタンの増加によってユーザにとってボタン操作が煩雑になるという課題がある。さらに、特許文献２に記載の従来技術では、表示するデータをチケット情報に限定しているとともに、ソーティングのためにはチケット情報に付随する付加情報を取り扱わなければならないのでデータ処理量が増えるという課題がある。また、それらの情報の表示を切り替えるには、新たなスイッチが必要になるという課題もある。
【０００６】
本発明は、上記課題を解決するためになされたものであり、課題の一例として、ページを切り替えるための複数の操作ボタンによるユーザインターフェースとしての機能を、１つの発電素子に持たせて表示装置の小型化を実現するとともに、表示装置に表示させるデータのページ切り替え操作を容易にする表示装置、表示装置の制御方法、および表示装置の制御プログラムを提供しようというものである。
【課題を解決するための手段】
【０００７】
上記課題を解決するため、本発明は次のような構成を採用する。
【０００８】
すなわち、請求項１に係る発明は、電圧を供給する発電素子を備え、且つ、複数の情報を表示する表示装置であって、前記複数の情報のいずれかを表示する表示手段と、前記表示手段に一度に表示される情報毎にページ情報と対応させて前記複数の情報を記憶し、ページ情報とフラグ情報とを対応付けて記憶する記憶手段と、前記発電素子から前記表示装置に供給される前記電圧が低下して前記表示装置がリセットされた後に、前記記憶手段のフラグ情報に対応する前記ページ情報を参照する演算手段と、前記演算手段によって参照された前記ページ情報から前記ページ情報に対応する、前記表示手段に一度に表示される情報を前記表示手段に表示するように制御する表示制御手段と、を備え、前記演算手段は、前記表示装置に供給される前記電圧が低下して前記表示装置がリセットされた後に、前記表示装置に前記電圧が印加されて前記演算手段が動作を開始する場合に前記記憶手段のフラグ情報に対応する前記ページ情報を参照し、その後に、前記フラグ情報をインクリメントし、インクリメントした前記フラグ情報に対応する前記ページ情報が無い場合には、前記フラグ情報を最初に前記表示手段に表示されるべき情報に対応した前記ページ情報に対応する値に設定することを特徴とする。
【０００９】
また、請求項２に記載される発明は、電圧を供給する発電素子を備え、且つ、複数の情報を表示する表示装置であって、前記複数の情報のいずれかを表示する表示手段と、前記表示手段に一度に表示される情報毎にページ情報と対応させて前記複数の情報を記憶し、ページ情報とフラグ情報とを対応付けて記憶する記憶手段と、前記発電素子から前記表示装置に供給される前記電圧が低下して前記表示装置がリセットされた後に、前記記憶手段のフラグ情報に対応する前記ページ情報を参照する演算手段と、前記演算手段によって参照された前記ページ情報から前記ページ情報に対応する、前記表示手段に一度に表示される情報を前記表示手段に表示するように制御する表示制御手段と、を備え、前記演算手段は、前記表示装置に供給される前記電圧が低下して前記表示装置がリセットされた後に、前記表示装置に前記電圧が印加されて前記演算手段が動作を開始する場合に、前記フラグ情報を最初に前記表示手段に表示されるべき情報に対応した前記ページ情報に対応する値に設定してから、前記記憶手段のフラグ情報に対応する前記ページ情報を参照し、その後に前記フラグ情報をインクリメントし、インクリメントした前記フラグ情報に対応する前記ページ情報が無い場合には、前記フラグ情報を最初に前記表示手段に表示されるべき情報に対応した前記ページ情報に対応する値に設定することを特徴とする。
【００１１】
また、請求項３に記載される発明は、請求項２に記載の表示装置において、前記発電素子が発生する発電電圧を検出する電圧検出手段をさらに備え、前記電圧検出手段が第１電圧よりも高い第２電圧を超える電圧を検出した後に、前記第１電圧と前記第２電圧との間の電圧を検出し、その後に前記第２電圧を超える電圧を検出した場合に、前記演算手段は前記記憶手段のフラグ情報に対応する前記ページ情報を参照し、前記フラグ情報をインクリメントし、インクリメントした前記フラグ情報に対応する前記ページ情報が無い場合には、前記フラグ情報を最初に前記表示手段に表示されるべき情報に対応した前記ページ情報に対応する値に設定することを特徴とする。
【００１２】
また、請求項４に記載される発明は、請求項３に記載の表示装置において、前記第１電圧は、前記演算手段での動作が保証されている電圧以下の電圧であり、前記第２電圧は、前記演算手段での動作が保証されている電圧であることを特徴とする。
【００１３】
また、請求項５に記載される発明は、請求項１乃至請求項４のいずれか一項に記載の表示装置において、前記発電素子から発生した前記電圧は、電力供給手段に蓄電され、すくなくとも前記記憶手段と前記演算手段は前記電力供給手段に蓄電された前記電圧が供給されることを特徴とする。
【００１４】
また、請求項６に記載される発明は、請求項１乃至請求項５のいずれか一項に記載の表示装置において、前記発電素子は太陽電池であることを特徴とする。
【００１５】
また、請求項７に記載される発明は、電圧を供給する発電素子と、記憶手段と、を備え、且つ、複数の情報を表示する表示装置において実行される制御方法であって、前記複数の情報のいずれかを表示する表示工程と、前記表示工程において一度に表示される情報毎にページ情報と対応させて前記複数の情報を前記記憶手段に記憶し、ページ情報とフラグ情報とを対応付けて前記記憶手段に記憶する記憶工程と、前記発電素子から前記表示装置に供給される前記電圧が低下して前記表示装置がリセットされた後に、前記記憶手段のフラグ情報に対応するページ情報を参照する演算工程と、前記演算工程において参照された前記ページ情報から前記ページ情報に対応する、前記表示工程において一度に表示される情報を前記表示工程において表示するように制御する表示制御工程と、を備え、前記演算工程において、前記表示装置に供給される前記電圧が低下して前記表示装置がリセットされた後に、前記表示装置に前記電圧が印加されて前記演算工程が開始される場合に前記記憶工程におけるフラグ情報に対応する前記ページ情報を参照し、その後に、前記フラグ情報をインクリメントし、インクリメントした前記フラグ情報に対応する前記ページ情報が無い場合には、前記フラグ情報を、前記表示工程において最初に表示されるべき情報に対応した前記ページ情報に対応する値に設定することを特徴とする。
【００１６】
また、請求項８に記載される発明は、電圧を供給する発電素子と、複数の情報のいずれかを表示する表示手段と、を備える表示装置に含まれるコンピュータを、前記表示手段に一度に表示される情報毎にページ情報と対応させて前記複数の情報を記憶し、ページ情報とフラグ情報とを対応付けて記憶する記憶手段、前記発電素子から前記表示装置に供給される前記電圧が低下して前記表示装置がリセットされた後に、前記記憶手段のフラグ情報に対応するページ情報を参照する演算手段、及び、前記演算手段によって参照された前記ページ情報から前記ページ情報に対応する、前記表示手段に一度に表示される情報を前記表示手段に表示するように制御する表示制御手段、として機能させ、前記演算手段は、前記表示装置に供給される前記電圧が低下して前記表示装置がリセットされた後に、前記表示装置に前記電圧が印加されて前記演算手段の動作が開始される場合に前記記憶手段のフラグ情報に対応する前記ページ情報を参照し、その後に、前記フラグ情報をインクリメントし、インクリメントした前記フラグ情報に対応する前記ページ情報が無い場合には、前記フラグ情報を最初に前記表示手段に表示されるべき情報に対応した前記ページ情報に対応する値に設定する機能を発揮することを特徴とする。
【発明の効果】
【００１７】
本発明によれば、発電素子がユーザインターフェースとしても利用できるため、他にスイッチ、ボタンなどのページ切り替えるための構成を表示装置に設ける必要がないので、表示装置全体を小型化できる。
【００１８】
また、発電素子を１つ用いるだけでページ切り替えができるので、他にスイッチ、ボタンなどのページ切り替えるための構成を設けた場合に比較して、ページ切り替え操作が容易になる。
【００１９】
さらに、ページ情報に対応付ければ、表示部１０に表示させるデータを記憶部２３に予め記憶できるので、順番に表示されるべきデータとして文字データおよび画像データを含む任意のデータを記憶でき、またソーティングすることが可能になる。
【００２０】
すなわち、表示されるべきデータはチケット情報に限定されない。
【００２１】
また、本願によればＩＣカード用のチップが無くても、データを表示部１０に表示しておくことが可能となる。
【００２２】
また、ＣＰＵ部２２は、フラグ情報だけを書き換える構成としたので、表示されるべきデータの情報量が大きい場合であっても、確実にフラグ情報を書き換えて、次にＣＰＵ部２２が起動した場合に表示すべきデータを参照することが可能になる。
【００２３】
また、ＣＰＵ部２２は、電源電圧が上昇する過程にフラグ情報の書き換えを実施するので、電源電圧の変動がある場合にもフラグ情報を確実に書き換えることができる。
【図面の簡単な説明】
【００２４】
【図１】本発明に係る表示装置の機能的な構成を示す機能ブロック図である。
【図２】本発明に係る表示装置による第１実施形態の処理手順のフローチャートの一例である。
【図３】本発明に係る表示装置による第２実施形態の処理手順のフローチャートの一例である。
【図４】本発明に係る第１実施形態の表示装置による表示部の表示内容の変化を示す図である。
【図５】本発明に係る第１実施形態の表示装置における記憶部の構成の一例を示す図である。
【図６】本発明に係る表示装置における記憶部の処理手順のフローチャートの一例を示す図である。
【図７】（Ａ）本発明に係る表示装置の表示部における表示の一例を示す図である。（Ｂ）本発明に係る表示装置の表示部における表示の一例を示す図である。（Ｃ）本発明に係る表示装置の表示部における表示の一例を示す図である。
【図８】本発明に係る表示装置の表示部における表示の他の一例を示す図である。
【図９】本発明に係る表示装置の表示部における表示のその他の一例を示す図である。
【図１０】本発明に係る第２実施形態の表示装置による表示部の表示内容の変化を示す図である。
【図１１】本発明に係る第２実施形態の表示装置における記憶部の構成の一例を示す図である。
【発明を実施するための形態】
【００２５】
以下、図面を参照して本発明を実施するための形態について説明する。
【００２６】
最初に、本発明の実施形態について図１を参照しながら説明する。
【００２７】
［システム全体構成］
図１には、本実施形態に係る、表示手段としての表示部１０と、表示制御手段としての表示制御部２１および演算手段としてのＣＰＵ（Central Processing Unit）部２２および記憶手段としての記憶部２３を含む制御部２０と、電圧検出手段としての電圧検出部３１および発電素子（図示せず）を含む発電部３０と、発電素子で発電された電力を蓄積し、表示部１０と制御部２０とに電力を供給する電力供給部４０とから構成される表示装置１００を示す。なお、図１においては、表示部１０と、制御部２０と、発電部３０と、電力供給部４０とがそれぞれ一つずつで示されているが、これに限られず、それぞれ複数台で構成されていても良い。
【００２８】
また、発電素子の一例としては太陽電池が挙げられるが、これに限定されるわけではない。さらに、記憶部２３はＣＰＵ部２２の外部に設けられる構成としているが、これに限定されるわけではなく、ＣＰＵ部２２の内部に設けられる構成としてもよい。さらに電圧検出部３１を発電部３０に設けたがこれに限定されるわけではなく、表示制御部２１またはＣＰＵ部２２の内部に設ける構成とすることもできる。
【００２９】
また、本発明に係る表示装置１００は、上述のような構成を有することにより、電力供給用として設けている太陽電池等の発電素子を、表示機能の付いたＩＣカード等の表示装置１００の表示データを切り替えるユーザインターフェースとして使用し、発電素子を手などで覆うことで電力供給が停止してカード内のＣＰＵ部２２がリセットする毎に、または所定の電圧以下になったことを電圧検出部３１が検出して、表示されるデータの切り替え処理を行う機能を有する。
【００３０】
ここで、当該機能を発揮するための構成について、図１に示す機能ブロック図を用いてさらに詳細に説明する。
【００３１】
表示部１０は、複数の情報を表示する一つの発電素子を備える表示装置１００において複数の情報のいずれかを表示する機能を有する。
【００３２】
表示部１０の一例としては液晶ディスプレイ、ＥＬ（Electro luminescence）ディスプレイ等が挙げられるがこれらに限定されるわけではない。
【００３３】
表示制御部２１は、ＣＰＵ部２２によって参照されたページ情報からページ情報に対応する、表示部１０に一度に表示される情報を表示部に表示するように制御する機能を有する。
【００３４】
表示制御部２１は、表示部１０に一度に表示される情報毎にデータを制御するが、表示部１０に一度に表示される情報毎にページ値が対応付けられて記憶部２３に記憶されているので、ページ値から表示部１０に一度に表示される情報であるページ情報にアクセスし、その情報を得ることが可能になる。
【００３５】
表示部１０に一度に表示される情報は、表示制御部２１が記憶部２３に直接アクセスして取得してもよいし、ＣＰＵ部２２を介して取得しても良い。
【００３６】
記憶部２３は、表示部１０に一度に表示される情報毎にページ情報と対応させて複数の情報を記憶し、さらに、ページ情報とフラグ情報とを対応付けて記憶する機能を有する。ここで、フラグ情報は図５および図１１に示すようにフラグ位置を示す。
【００３７】
表示部１０に一度に表示される情報毎にページ情報と対応して記憶されているので、ページ情報を使用して記憶部２３にアクセスすることで、表示部１０に一度に表示される情報を記憶部２３の外部から取得することができる。
【００３８】
また、ページ情報とフラグ情報とが対応付けられて記憶されているので、例えばフラグ情報を数値で表現すれば、数値からページ情報を取得し、そのページ情報から、表示部１０に一度に表示される情報を取得することができる。
【００３９】
一例として、フラグ情報としての数値をページ数に対応付ければ、フラグ情報が「１」の場合には表示部１０の１ページ目に対応する情報を記憶部２３から取得することができ、以下順次に、フラグ情報が「２」の場合には表示部１０の２ページ目に対応する情報を記憶部２３から取得することができ、フラグ情報が「３」の場合には表示部１０の３ページ目に対応する情報を記憶部２３から取得することができる。またページ情報は、表示部１０に一度に表示されるデータの中で、先頭部分のデータのアドレスを表すように構成することもできる。
【００４０】
また、表示するデータとしてのコンテンツには、電子マネー残高情報、鉄道乗車駅情報、鉄道定期区間情報、鉄道利用料金情報、アミューズメント施設用のカード情報等がある。
【００４１】
なお、記憶部２３はＣＰＵ部２２の外部に設けられなくともよく、ＣＰＵ部２２の内部に設けられていてもよい。記憶部２３の一例として、フラッシュメモリ等の不揮発性メモリまたは揮発性メモリが挙げられる。
【００４２】
電圧検出部３１は、発電部３０に含まれる発電素子が発生する発電電圧を検出する機能を有する。
【００４３】
例えば、発電素子が太陽電池である場合には、表示装置の太陽電池のパネル面をユーザが指または手などを使用して外光から遮ることで、太陽電池が発生する発電電圧が低下するので、電圧検出部３１はその低下した電圧を検知することができる。検出する電圧には、ＣＰＵ部２２の動作が保証されている電圧以下の電圧である第１電圧と第１電圧よりも高い第２電圧とがある。第１電圧としては、０ボルトからＣＰＵ部２２の動作が保証されている電圧までの任意の電圧を設定することができる。第２電圧は、ＣＰＵ部２２が動作できない第１電圧よりも高い電圧であって、ＣＰＵ部２２の動作が保証されている電圧である。第２電圧としては、第１電圧から電力供給部４０から供給される電圧であって、ＣＰＵ部２２の動作が保証されている電源電圧までの任意の電圧を設定することができる。
【００４４】
演算部手段としてのＣＰＵ部２２は表示装置に供給される電圧が低下してＣＰＵ部２２がリセットされた後に、記憶部２３のフラグ情報に対応するページ情報を参照する機能を有する。
【００４５】
また、ＣＰＵ部２２は、表示装置に供給される電圧が低下して表示装置がリセットされた後に、再び表示装置に電圧が供給されてＣＰＵ部２２が動作を開始する場合に、フラグ情報を設定する機能を有する。
【００４６】
例えば、ＣＰＵ部２２は、表示装置に供給される電圧が低下して表示装置がリセットされた後に、前記表示装置に電圧が印加されてＣＰＵ部２２が動作できない低電圧である第１電圧を超えた場合にフラグ情報をインクリメントし、インクリメントしたフラグ情報に対応するページ情報が無い場合には、フラグ情報を、最初に表示部１０に表示されるべき情報に対応したページ情報に対応する値に設定する機能を有する。
【００４７】
この機能によれば、表示装置の太陽電池のパネル面をユーザが指または手などを使用して外光から遮ることで、太陽電池から発生する電圧がゼロボルト近くになってＣＰＵ部２２がリセットされた後に、ユーザが表示装置の太陽電池のパネル面からユーザの指または手を離すことで、ＣＰＵ部２２に電圧が供給されてＣＰＵ部２２が動作を開始する場合にフラグ情報をインクリメントし、ＣＰＵ部２２が次に起動した場合に、表示部１０に表示される情報を次のページに設定することができる。また、インクリメントしたフラグ情報に対応するページ情報が無い場合には、最初に表示部１０に表示されるべき１ページ目に対応するフラグ情報に設定することができる。
【００４８】
すなわちこの機能によれば、表示装置は、電圧が低下してリセットするたびに次のページを表示することができ、表示するべきページの最後が表示された後に表示装置がリセットされた場合には、最初のページを表示することができる。
【００４９】
また、ＣＰＵ部２２は、表示装置に供給される電圧が低下して表示装置がリセットされた後に、再び表示装置に電圧が供給されてＣＰＵ部２２が動作を開始する場合に、フラグ情報を最初に表示部１０に表示されるべき情報に対応したページ情報に対応する値に設定してから、記憶部２３のフラグ情報に対応するページ情報を参照し、その後に前記フラグ情報をインクリメントし、インクリメントした前記フラグ情報に対応するページ情報が無い場合には、前記フラグ情報を最初に表示部１０に表示されるべき情報に対応したページ情報に対応する値に設定する機能を有する。
【００５０】
この機能によれば、表示装置の太陽電池のパネル面をユーザが指または手などを使用して外光から遮ることで、太陽電池から発生する電圧がゼロボルト近くになってＣＰＵ部２２がリセットされた後に、ユーザが表示装置の太陽電池のパネル面からユーザの指または手を離すと、表示部１０に表示される情報を最初に表示部１０に表示されるべき情報とすることができる。
【００５１】
すなわち、表示装置の太陽電池のパネル面をユーザが指または手などを使用して外光から遮ることで、表示装置１００をリセットするたびに、表示部１０には先頭のページが表示されることになる。なおこの場合には、リセット後にフラグ情報がインクリメントされているので、次にＣＰＵ部２２がフラグ情報を参照すると、次に表示されるべきページ（２ページ目）が表示部１０に表示される。
【００５２】
また、ＣＰＵ部２２は、電圧検出部３１が第１電圧よりも高い第２電圧を超える電圧を検出した後に、第１電圧と第２電圧との間の電圧を検出し、その後に第２電圧を超える電圧を検出した場合に、ＣＰＵ部２２は、記憶部２３のフラグ情報に対応するページ情報を参照し、その後に前記フラグ情報をインクリメントし、インクリメントした前記フラグ情報に対応するページ情報が無い場合には、前記フラグ情報を最初に前記表示部１０に表示されるべき情報に対応したページ情報に対応する値に設定する機能を有する。
【００５３】
この機能によれば、表示装置の太陽電池のパネル面の一部をユーザが指または手などを使用して外光から遮ることで、太陽電池から発生する電圧が少し低下した後に、ユーザが表示装置の太陽電池のパネル面からユーザの指または手を離すと、表示部１０に表示される情報を次のページに設定することができる。また、インクリメントしたフラグ情報に対応するページ情報が無い場合には、最初に表示部１０に表示されるべき１ページ目に対応するフラグ情報に設定することができる。
【００５４】
ここで少し低下した電圧とは、第１電圧と第２電圧との間の電圧である。
【００５５】
すなわちこの機能によれば、表示装置は、電圧が少し低下するたびに次のページを表示することができ、表示するべきページの最後が表示された後に電圧が少し低下した場合には、最初のページを表示することができる。
【００５６】
電力供給部４０は、発電素子から発生した電圧を蓄電し、すくなくとも記憶部２３とＣＰＵ部２２に蓄電された電圧が供給する機能を有する。
【００５７】
電力供給部４０の一例としては、コンデンサが挙げられるが、本願ではこれに限定されるわけではない。電力供給部４０が存在するために、電圧検出部３１で検出した電圧が直ちにＣＰＵ部２２等に印加されるわけではなく、検出された電圧は電圧検出部３１で検出された後に電圧検出部３１を介して遅延され、または蓄積されてＣＰＵ部２２に電圧が印加されるので、上述したフラグ情報の書き換え処理をＣＰＵ部２２において確実に実行することが可能になる。
【００５８】
なお、表示装置１００には、その他に、ＩＣカード用のチップ（図示せず）を有し、表示装置１００が非接触型カードの場合、通信部（アンテナ）（図示せず）を備える。また、制御部２０の表示制御部２１、ＣＰＵ部２２、記憶部２３は一体でなくともよい。また、フラグ情報をインクリメントする代わりに、フラグ情報をポイントするフラグの位置をシフトさせることでＣＰＵ部２２に現在参照するべきページ情報を認識させるように構成してもよい。さらに、表示装置を、ネットワークを介したデータベースまたはサーバ装置と接続するように構成できる。
【００５９】
次に図５を参照して、本発明表示装置１００の記憶部２３に記憶されるフラグ情報、ページ情報、第１ページの情報であるページＡの情報（電子マネー残高）、第２ページの情報であるページＢの情報（鉄道乗車駅名）、第３ページの情報であるページＣの情報（鉄道定期区間）との対応関係について説明する。
【００６０】
記憶部２３に記憶されるフラグ情報は、フラグ値として第１ページの情報であることを示す「１」、フラグ値として第２ページの情報であることを示す「２」、フラグ値として第３ページの情報であることを示す「３」またはフラグ値として第ｎページの情報であることを示す「ｎ」がＣＰＵ部２２によって書き込まれる。
【００６１】
ＣＰＵ部２２は電圧が低下した場合であっても、これらのフラグ値を書き換えるだけで、ＣＰＵ部２２が次に起動したときに所望のページの情報を記憶部２３から取得することが可能になる。
【００６２】
ＣＰＵ部２２はフラグ値に基づいて、ページ情報を参照する。
【００６３】
例えば、フラグ値が１である場合には、フラグ値が１の場合に参照すべき位置からページ情報を取得する。フラグ値が１の場合に参照すべき位置はアドレスで予め決められていてもよい。ページ情報は該当するページの文字、図形等のデータ本体が記憶部２３のどのアドレスから記憶されているかを示すアドレスを情報として記憶している。
【００６４】
図５の場合には、フラグ値が１である場合のページ情報は「１」であるので、ＣＰＵ部２２はアドレス１から１ページ目のデータ本体（電子マネー残高）を読み込む。フラグ値が２である場合のページ情報は「２」であるので、ＣＰＵ部２２はアドレス２から２ページ目のデータ本体（鉄道乗車駅名）を読み込む。フラグ値が３である場合のページ情報は「３」であるので、ＣＰＵ部２２はアドレス３から３ページ目のデータ本体（鉄道定期区間）を読み込む。
【００６５】
なお、ｎページ目のデータ本体を読み込む場合に、ページ情報をオフセットとして用いて、絶対アドレスを参照するように構成することも可能である。
【００６６】
また、上記例では、フラグ情報をインクリメントさせるように構成したが、図５に示すように、フラグ情報をシフトさせながら、順番にページ情報が記憶されている領域をアクセスするように構成することも可能である。
【００６７】
また、フラグ情報、ページ情報、第ｎページの情報であるページｎの情報をアドレスによって相互に参照するようにすることで、本願の構成を実現することも可能である。
【００６８】
次に図６に図５の処理手順についてフローチャートを用いて説明する。
【００６９】
ステップＳ２１において、ＣＰＵ部２２は、フラグ情報を取得する。そしてフラグ情報に対応する位置からページ情報を取得する。
【００７０】
ステップＳ２２において、ＣＰＵ部２２は、ページ情報のアドレスを示すページ値から、記憶部２３に記憶されている該当するページのデータ本体を取得する。
【００７１】
ステップＳ２３において、ＣＰＵ部２２は、フラグ情報をインクリメントさせて、フラグ情報が参照するページ情報を次のページのデータが記憶されているページ情報を参照するようにする。
【００７２】
ステップＳ２４において、ＣＰＵ部２２は、ステップＳ２２において取得したデータを表示制御部２１に転送し、データを取得した表示制御部２１が表示部１０にデータを表示する。
【００７３】
このようにして、ＣＰＵ部２２は、記憶部２３に記憶されているフラグ情報、ページ情報、第ｎページの情報であるページｎの情報を対応付けて、表示制御部２１にデータを表示部１０に表示させる。
【００７４】
［処理手順］
ここで、本発明を適用した場合において実現され得る、表示装置１００全体の具体的な処理手順について、図２〜図３に示すフローチャートを参照して説明する。なお、以下に示す処理手順は、一例であってこれ以外にも実現され得る処理手順は無数に存在する。
【００７５】
（第１実施形態）
なお、図２の手順は、本発明に係る表示装置１００において、発電素子をユーザの手などで覆うことによって電力供給を停止し、カード内のＣＰＵ部２２がリセットする毎に表示するデータの切り替え処理を行って、表示部１０に表示するデータを切り替える機能を発揮するための処理手順である。
【００７６】
ステップＳ１において、電圧検出部３１は発電素子が発電して電圧が発生しているかを検出する。発電素子が発電している場合（ステップＳ１：ＹＥＳ）には、ステップＳ８に進む。発電素子が発電していない場合（ステップＳ１：ＮＯ）には、ステップＳ２に進む。
【００７７】
ステップＳ２において、発電素子が発電しておらずＣＰＵ部２２に電圧が供給されない場合、すなわち発電素子のパネルの全面をユーザが指、手などで覆っている場合（図４（Ｂ）、（Ｄ）、（Ｆ）参照）には、ＣＰＵ部２２は停止する。
【００７８】
ステップＳ３において、発電素子が発電しておらず電圧が供給されない場合には、表示制御部２１も停止し、表示部１０の表示が消える。
【００７９】
ステップＳ４において、電圧検出部３１は発電素子が発電して電圧が発生しているかを検出する。発電素子が発電している場合（ステップＳ４：ＹＥＳ）には、ステップＳ５に進む。発電素子が発電していない場合（ステップＳ４：ＮＯ）には、発電素子が発電を開始するまでステップＳ４を繰り返す。
【００８０】
ステップＳ５において、発電素子が発電を開始して電圧が供給されるので、すなわち発電素子パネルを覆っていたユーザが指、手を発電素子パネルから離した場合（図４（Ａ）、（Ｃ）、（Ｅ）参照）には、ＣＰＵ部２２が動作を開始する。
【００８１】
ステップＳ６において、ＣＰＵ部２２は記憶部２３に記憶されているフラグ情報を読み出し、フラグ情報に対応するページ情報、すなわちページ値を読み出す（図５参照）。
【００８２】
例えば、フラグ情報が１つずつインクリメントされ、インクリメントされたフラグ値に対応するアドレスにページ情報としてのページ値が記憶されている。ページ値は一例として、ページ情報に対応するデータが記憶されている領域の開始アドレスである。
【００８３】
ステップＳ７において、ＣＰＵ部２２は記憶部２３に記憶されているページ値から、そのページ情報に対応するデータが記憶されている領域からデータを呼び出す。
【００８４】
その後、ＣＰＵ部２２はフラグ情報を１つインクリメントしてフラグ情報を書き変える。なお、フラグ情報に対応するページ情報が存在しない場合には、ＣＰＵ部２２はフラグ情報を、最初に表示部１０に表示されるべき情報に対応したページ情報に対応する値、例えば１ページを示す「１」に設定する。
【００８５】
ステップＳ８において、ステップＳ７において、呼び出されたデータがＣＰＵ部２２から表示制御部２１に渡され、表示制御部２１はＣＰＵ部２２から渡されたデータに基づいて、表示部１０にデータを表示する。
【００８６】
このようにして、発電素子をユーザの指、手などで覆うことによって電力供給を停止し、カード内のＣＰＵ部２２がリセットする毎に表示するデータの切り替え処理を行うことが可能になる。
【００８７】
（第２実施形態）
次に、図３の処理手順について説明する。
【００８８】
図３の手順は、本発明に係る表示装置において、ユーザが指、手などで発電素子の一部を覆い隠すことによって発電素子が発生する電圧がある一定の値を下回ると、ＣＰＵ部２２が記憶部２３から次に表示するページ情報を呼び出し、そのページ情報に対応するページ内容データをＣＰＵ部２２が記憶部２３から呼び出し、表示制御部２１が表示部１０にページデータを表示し、また、発電素子からの電力供給が全く無くなりＣＰＵ部２２がリセットされる場合には、ＣＰＵ部２２は初期ページの内容データを記憶部２３から呼び出して表示部１０に表示する機能を発揮するための処理手順である。
【００８９】
ステップＳ１１において、電圧検出部３１は発電素子が発電して電圧が発生しているかを検出する。発電素子が発電している場合（ステップＳ１１：ＹＥＳ）には、ステップＳ１５に進む。発電素子が発電していない場合（ステップＳ１１：ＮＯ）には、ステップＳ１２に進む。
【００９０】
ステップＳ１２において、発電素子が発電しておらずＣＰＵ部２２に電圧が供給されない場合、すなわち発電素子のパネルの全部をユーザが指、手などで覆っている場合には、ＣＰＵ部２２は停止する。また、表示制御部２１も停止し、表示部１０の表示が消える。
【００９１】
ステップＳ１３において、電圧検出部３１は発電素子が発電して電圧が発生しているかを検出する。発電素子が発電している場合（ステップＳ１３：ＹＥＳ）には、ステップＳ１４に進む。発電素子が発電していない場合（ステップＳ１４：ＮＯ）には、発電素子が発電を開始するまで、すなわちユーザが発電素子のパネルから指、手などを離すまでステップＳ１３を繰り返す。
【００９２】
ステップＳ１４において、ＣＰＵ部２２はフラグ情報を、最初に表示部１０に表示されるべき情報に対応したページ情報に対応する値、例えば１ページを示す「１」に設定する。ＣＰＵ部２２はフラグ情報に対応するページ情報、すなわち開始アドレスから記憶部２３に記憶されている１ページ目のデータを取得する。このようにしてフラグ値「１」、に対応する１ページ目のデータを記憶部２３から呼び出す。
【００９３】
ステップＳ１５において、電圧検出部３１は発電素子が発電している電圧が所定の電圧以上であるかを検出する。発電素子が発電している電圧が所定の電圧以上である場合（ステップＳ１５：ＹＥＳ）には、ステップＳ１８に進む。発電素子が発電している電圧が所定の電圧未満である場合（ステップＳ１５：ＮＯ）には、ステップＳ１６に進む。
【００９４】
ここで、所定の電圧とは、第２電圧であり、ＩＣの特性によって変化するが、ＣＰＵ部２２が処理を続行するために必要な最低電圧の＋１０％程度の値が一例として挙げられる。
【００９５】
ステップＳ１６において、ＣＰＵ部２２は記憶部２３に記憶されているフラグ情報を読み出し、フラグ情報に対応するページ情報、すなわちページ値を読み出す。
【００９６】
ステップＳ１７において、ＣＰＵ部２２は記憶部２３に記憶されているページ値から、そのページ情報に対応するデータが記憶されているデータを記憶部２３から取得する。
【００９７】
その後、ＣＰＵ部２２はフラグ情報を１つインクリメントしてフラグ情報を書き変える。なお、フラグ情報に対応するページ情報が存在しない場合には、ＣＰＵ部２２はフラグ情報を、最初に表示部１０に表示されるべき情報に対応したページ情報に対応する値、例えば１ページを示す「１」に設定する。
【００９８】
ステップＳ１８において、呼び出されたデータがＣＰＵ部２２から表示制御部２１に渡され、表示制御部２１はＣＰＵ部２２から渡されたデータに基づいて、表示部１０にデータを表示する。
【００９９】
このようにして、ユーザが指、手などで発電素子の一部を覆い隠すなどして、電圧がある一定の値を下回ると、ＣＰＵ部２２が記憶部２３から次に表示するページ情報を呼び出し、そのページ情報に対応するページ内容データを記憶部２３から呼び出して表示制御部２１が表示部１０にページ内容データを表示し、発電素子からの電力供給が完全に無くなりＣＰＵ部２２がリセットされると、初期ページの内容データをＣＰＵ部２２が記憶部２３から呼び出しで表示制御部２１が初期ページの内容データを表示部１０に表示することが可能になる。
【０１００】
［表示装置の使用例］
次に図４を用いて、図２の実施形態１に基づく表示部１０の画面表示例の一例について表示装置１００の使用例として説明する。
【０１０１】
図４（Ａ）では、表示装置１００の発電部３０に外光が照射されて発電素子から起電力が発生し、表示装置１００の表示部１０に初期ページ、すなわちページＡが表示されている状態が図示されている。表示装置１００が起動してから最初にこの状態になる前に、ＣＰＵ部２２は記憶部２３のフラグ情報に対応するページ値を参照して、すなわちページ値である１を参照して、参照されたページ値である１に対応するページＡの情報であるページＡ情報を記憶部２３から読み出して、表示部１０に一度に表示されるページＡ情報を表示部１０に表示する。ここで、フラグ情報は図５および図１１に示すようにフラグ位置を示す。
【０１０２】
すなわち、フラグ情報が「１」に対応する第１ページの情報であるページＡの情報（電子マネー残高）を、フラグ情報「１」に対応するページ情報を用いて記憶部２３の記憶領域から読み出して、表示制御部２１が、表示部１０にページＡを表示する（図４（Ａ）参照）。その後、記憶部２３のフラグ情報をインクリメントして書き換える。すなわち、ＣＰＵ部２２は、第１ページの情報であるページＡの次の第２ページの情報であるページＢを表示できるように、フラグ情報をインクリメントされた「２」に書き換える（図５（Ｂ）参照）。この一連の処理が終了した状態が図４（Ａ）の状態である。
【０１０３】
図４（Ｂ）では、図４（Ａ）の状態から、ユーザが次のページを見るために、ユーザの指または手等を使用して、発電部３０を覆っている状態が図示されている。この場合にはＣＰＵ部２２はリセットされ、ＣＰＵ部２２に電圧が供給されないので、表示装置１００の表示部１０には何も表示されない。
【０１０４】
図４（Ｃ）では、図４（Ｂ）の状態から、ユーザが次のページを見るために、発電部３０を覆っていたユーザの指または手等を発電部３０から離して、発電部３０に外光が照射される状態にする。
【０１０５】
表示装置１００の発電部３０に外光が照射されて発電素子に再び起電力が発生して、ＣＰＵ部２２に電力が供給されるので、ＣＰＵ部２２は、図４（Ａ）で書き換えられたフラグ情報「２」を記憶部２３から呼び出して、フラグ情報が「２」に対応する第２ページの情報であるページＢ情報（鉄道乗車駅名、図５参照）を記憶部２３から読み出して、表示制御部２１が、表示部１０にページＢを表示する（図４（Ｃ））。それからＣＰＵ部２２は、記憶部２３のフラグ情報をインクリメントして書き換える。すなわち、第２ページの情報であるページＢの次の第３ページの情報であるページＣを表示制御部２３が表示できるように、ＣＰＵ部２２はフラグ情報をインクリメントされた「３」に書き換える（図５（Ｃ）参照）。
【０１０６】
このように、ユーザが次のページを見ようとして、ユーザの指または手等を使用して、発電部３０を覆ってＣＰＵ部２２をリセットするたびに、表示部１０に表示されるページ情報が次のページに切り替えられる。
【０１０７】
図４（Ｄ）では、図４（Ｃ）の状態から、ユーザが次のページを見るために、ユーザの指または手等を使用して、発電部３０を覆っている状態が図示されている。この場合にもＣＰＵ部２２はリセットされ、ＣＰＵ部２２に電圧が供給されないので、表示装置１００の表示部１０には何も表示されない。
【０１０８】
図４（Ｅ）では、図４（Ｄ）の状態から、ユーザが次のページを見るために、発電部３０を覆っていたユーザの指または手等を発電部３０から離して、発電部３０に外光が照射される状態にする。
【０１０９】
表示装置１００の発電部３０に外光が照射されて発電素子に再び起電力が発生して、ＣＰＵ部２２に電力が供給されるので、ＣＰＵ部２２は、図４（Ｃ）で書き換えられたフラグ情報「３」を記憶部２３から呼び出して、フラグ情報が「３」に対応する第３ページの情報であるページＣのページ情報（鉄道定期期間、図５（Ｃ）参照）を記憶部２３から読み出して、表示制御部２１が、表示部１０にページＣを表示する。
【０１１０】
その後、ＣＰＵ部２２は、記憶部２３のフラグ情報をインクリメントして書き換える。図４（Ｄ）のフラグ情報は図４（Ｃ）でインクリメントされた「３」であるので、フラグ情報をインクリメントすると「４」となるが、フラグ情報「４」に対応するページ情報が存在しないので、ＣＰＵ部２２はフラグ情報を、最初に表示部１０に表示されるべき情報に対応したページ情報、すなわちページＡの情報（電子マネー残高）、に対応する値、すなわちフラグ情報を「１」に設定する（図５（Ａ）参照）。
【０１１１】
図４（Ｆ）では、図４（Ｅ）の状態からユーザが次のページを見るために、ユーザの指または手等を使用して、発電部３０を覆っている状態が図示されている。この場合にＣＰＵ部２２には電圧が供給されないので、表示装置１００の表示部１０には何も表示されない。すなわち、表示装置１００がリセットされる。
【０１１２】
図４（Ｆ）の状態からユーザが次のページを見るために、発電部３０を覆っていたユーザの指または手等を発電部３０から離して、発電部３０に外光が照射される状態にする（図４（Ａ）参照）。
【０１１３】
表示装置１００の発電部３０に外光が照射されて発電素子に再び起電力が発生して、ＣＰＵ部２２に電力が供給されるので、ＣＰＵ部２２は、図４（Ｅ）で書き換えられたフラグ情報「１」を記憶部２３から呼び出して、フラグ情報が「１」に対応する第１ページの情報（電子マネー残高、図５（Ａ）参照）を記憶部２３から読み出して、表示制御部２１が、表示部１０にページＡを表示する。
【０１１４】
このように、図４に示すように発電素子をユーザの指、手などでほとんど覆い隠すことで、電力供給を停止し、ＣＰＵ部２２がリセットする。そしてＣＰＵ部２２がリセットする毎に、表示部１０に表示するデータの切り替え処理を行い、ページを切り替えることができる。表示するためのデータは、あらかじめＩＣカード用チップ内の記憶部２３にページ内容データとして書き込まれている。また、発電素子は一例として太陽電池であり、表示部１０に表示するコンテンツの一例としては、電子マネー残高情報、鉄道乗車駅情報、鉄道定期区間情報、鉄道利用料金情報、アミューズメント施設用のカード情報などが挙げられる。
【０１１５】
次に図１０を用いて、図３の実施形態２に基づく表示部１０の画面表示例の一例について表示装置１００の使用例として説明する。
【０１１６】
図１０（Ａ）では、図４（Ａ）と同様に、表示装置１００の発電部３０に外光が照射されて発電素子から起電力が発生し、表示装置１００の表示部１０に初期ページ、すなわちページＡが表示されている状態が図示されている。表示装置１００が起動してから最初にこの状態になる前に、ＣＰＵ部２２は記憶部２３のフラグ情報に対応するページ値を参照して、すなわちページ値である１を参照して、参照されたページ値である１に対応するページＡの情報であるページＡ情報を記憶部２３から読み出して、表示部１０に一度に表示されるページＡ情報を表示部１０に表示する。
【０１１７】
すなわち、フラグ情報が「１」に対応する第１ページの情報であるページＡの情報（電子マネー残高）を、フラグ情報「１」に対応するページ情報を用いて記憶部２３の記憶領域から読み出して、表示制御部２１が、表示部１０にページＡを表示する（図１０（Ａ）参照）。その後、記憶部２３のフラグ情報をインクリメントして書き換える。すなわち、ＣＰＵ部２２は、第１ページの情報であるページＡの次の第２ページの情報であるページＢを表示できるように、フラグ情報をインクリメントされた「２」に書き換える（図１１（Ａ）参照）。この一連の処理が終了した状態が図１０（Ａ）の状態である。
【０１１８】
図１０（Ｂ）では、図１０（Ａ）の状態から、ユーザが次のページを見るために、ユーザの指または手等を使用して、発電部３０の一部を覆っている状態が図示されている。
【０１１９】
この場合にはＣＰＵ部２２に供給される電圧は少し低下するが、ＣＰＵ部２２がリセットされることはないので、表示装置１００の表示部１０にはページＡの情報（電子マネー残高）が図１０（Ａ）と同様に引き続き表示される。すなわち、電圧検出部３１は第１電圧と第２電圧との間の電圧を検出する（図１０（Ｂ））。
【０１２０】
図４（Ｃ）では、図４（Ｂ）の状態から、ユーザが次のページを見るために、発電部３０の一部を覆っていたユーザの指または手等を発電部３０から離して、発電部３０に外光が照射される状態にする。
【０１２１】
すなわち、ＣＰＵ部２２は、電圧検出部３１が第１電圧よりも高い第２電圧を超える電圧を検出した（図１０（Ａ））後に、第１電圧と第２電圧との間の電圧を検出し（図１０（Ｂ））、その後に第２電圧を超える電圧を検出する（図１０（Ｃ））。この場合に、ＣＰＵ部２２は、記憶部２３のフラグ情報に対応するページ情報を参照し、その後に前記フラグ情報をインクリメントし、インクリメントした前記フラグ情報に対応するページ情報が無い場合には、前記フラグ情報を最初に前記表示部１０に表示されるべき情報に対応したページ情報に対応する値に設定する。
【０１２２】
すなわち、ＣＰＵ部２２は、図１０（Ａ）で書き換えられたフラグ情報「２」を記憶部２３から呼び出して、フラグ情報が「２」に対応する第２ページの情報であるページＢ情報（鉄道乗車駅名、図１１参照）を記憶部２３から読み出して、表示制御部２１が、表示部１０にページＢを表示する（図１０（Ｃ））。それからＣＰＵ部２２は、記憶部２３のフラグ情報をインクリメントして書き換える。すなわち、第２ページの情報であるページＢの次の第３ページの情報であるページＣを表示制御部２３が表示できるように、ＣＰＵ部２２はフラグ情報をインクリメントされた「３」に書き換える（図１１（Ｂ）参照）。
【０１２３】
このように表示装置の太陽電池のパネル面の一部をユーザが指または手などを使用して外光から遮ることで、太陽電池から発生する電圧が少し低下（第１電圧と第２電圧との間）した後に、ユーザが表示装置の太陽電池のパネル面からユーザの指または手を離すと、表示部１０に表示される情報が次のページに切り替えられる。
【０１２４】
図１０（Ｄ）では、図１０（Ｃ）の状態から、ユーザが最初のページを見るために、ユーザの指または手等を使用して、発電部３０を覆っている状態が図示されている。この場合にもＣＰＵ部２２はリセットされ、ＣＰＵ部２２に電圧が供給されないので、表示部１０の表示部１０には何も表示されない。
【０１２５】
図１０（Ｅ）では、図１０（Ｄ）の状態から、ユーザが最初のページを見るために、発電部３０を覆っていたユーザの指または手等を発電部３０から離して、発電部３０に外光が照射される状態にする。
【０１２６】
表示装置１００の発電部３０に外光が照射されて発電素子に再び起電力が発生して、ＣＰＵ部２２に電力が供給されるので、ＣＰＵ部２２が動作を開始する場合に、フラグ情報を最初に表示部１０に表示されるべきページＡの情報に対応するページ値を１に設定してから、記憶部２３のフラグ情報に対応するページ情報を参照する。すなわち、ページ値１に対応するページＡの情報であるページＡ情報を記憶部２３から読み出して、表示部１０に一度に表示されるページＡ情報（電子マネー残高、図１１参照）を表示部１０に表示する（図１０（Ｅ））。
【０１２７】
ページＡ情報を表示部１０に表示した後に、前記フラグ情報をインクリメントし、ページ値を２に設定する（図１１（Ｃ））。インクリメントしたフラグ情報に対応するページ情報が無い場合には、フラグ情報を最初に表示部１０に表示されるべき情報に対応したページ情報に対応する値、すなわちページ値を１に設定する機能を有する。
【０１２８】
図１０（Ｆ）では、図１０（Ｅ）の状態から、ユーザが最初のページを見るために、ユーザの指または手等を使用して、発電部３０を覆っている状態が図示されている。この場合にもＣＰＵ部２２はリセットされ、ＣＰＵ部２２に電圧が供給されないので、表示部１０の表示部１０には何も表示されない。
【０１２９】
図１０（Ａ）では、表示装置１００の発電部３０に外光が照射されて発電素子から起電力が発生し、表示装置１００の表示部１０に初期ページ、すなわちページＡ情報（電子マネー残高、図１１参照）が表示されている状態が図示されている。
【０１３０】
図１０（Ｅ）と同様に、表示装置１００の発電部３０に外光が照射されて発電素子に再び起電力が発生して、ＣＰＵ部２２に電力が供給されるので、ＣＰＵ部２２が動作を開始する場合に、フラグ情報を最初に表示部１０に表示されるべきページＡの情報に対応するページ値を１に設定してから、記憶部２３のフラグ情報に対応するページ情報を参照する。すなわち、ページ値１に対応するページＡの情報であるページＡ情報を記憶部２３から読み出して、表示部１０に一度に表示されるページＡ情報を表示部１０に表示する（図１０（Ａ））。そして、ページＡ情報を表示部１０に表示した後に、前記フラグ情報をインクリメントし、ページ値を２に設定する（図１１（Ａ））。インクリメントしたフラグ情報に対応するページ情報が無い場合には、フラグ情報を最初に表示部１０に表示されるべき情報に対応したページ情報に対応する値、すなわちページ値を１に設定する機能を有する。
【０１３１】
このように、第２の実施形態を説明する図１１では、ユーザが発電素子をユーザの指、手などでほとんど覆い隠すことで、電力供給を停止し、ＣＰＵ部２２がリセットする。そしてＣＰＵ部２２がリセットする毎に、表示部１０に最初のページを表示する。また、発電素子をユーザの指、手などで一部を覆い隠すことによって太陽電池から発生する電圧が少し低下（第１電圧と第２電圧との間）した後に、ユーザが表示装置の太陽電池のパネル面からユーザの指または手を離すと、表示部１０に表示される情報が次のページに切り替えられる。発電素子は一例として太陽電池であり、表示部１０に表示するコンテンツの一例としては、電子マネー残高情報、鉄道乗車駅情報、鉄道定期区間情報、鉄道利用料金情報、アミューズメント施設用のカード情報などが挙げられる。
【０１３２】
［表示装置の表示例］
次に表示装置１００の表示部１０に表示されるデータの具体例について説明する。
【０１３３】
図７は、表示部１０に表示されるさまざまなデータを示している。
【０１３４】
最初に、図７を図２および図４の実施形態１に基づいて説明する。
【０１３５】
図７（Ａ）は図４（Ａ）のページＡ（図２のページ１）の電子マネーの残高が表示部１０に表示されている状態を示す。
【０１３６】
図７（Ａ）の表示部１０には、電子マネー残高が￥１８９００であることが表示される。このように、他の電子情報処理装置を表示装置１００に接続することなく、ユーザはＩＣカードの記憶部２３に記憶されている電子マネーの残高を、表示部１０を介して容易に確認することができる。
【０１３７】
次に、ユーザが図７（Ａ）の発電素子を指や手などを使用して覆い隠すと、図７（Ｂ）のように表示される。
【０１３８】
図７（Ｂ）は図４（Ｃ）のページＢの鉄道乗車駅情報が表示部１０に表示されている状態を示す。
【０１３９】
図７（Ｂ）の表示部１０には、ユーザが乗車した駅名である「新宿」、乗車駅であることを示す「ＩＮ」、ユーザが「新宿」駅で乗車した日付「２２年１０月１９日」が表示される。このように、図７（Ａ）の表示画面から、発電素子を覆い隠すだけで次の情報が表示されるべき画面を容易に確認することができる。
【０１４０】
次に、ユーザが図７（Ｂ）の発電素子を指や手などを使用して覆い隠すと、図７（Ｃ）のように表示される。
【０１４１】
図７（Ｃ）は図４（Ｅ）のページＣの鉄道定期区間が表示部１０に表示されている状態を示す。
【０１４２】
図７（Ｃ）の表示部１０には、ユーザが定期券を購入している区間である「東京-品川」が表示されるとともに、定期券の期限日を示す「２３年４月１０日」が表示される。このように、図７（Ｂ）の表示画面から、発電素子を覆い隠すだけで次の情報が表示されるべき画面を容易に確認することができる。
【０１４３】
なお、図７（Ｃ）の画面において、ユーザが発電素子を指や手などを使用して覆い隠した後に、覆い隠した指や手などを取り除くと、表示部１０は図７（Ａ）のように表示される。
【０１４４】
また、図７（Ａ）→図７（Ｂ）→図７（Ｃ）→図７（Ａ）への変化は、ユーザが発電素子の一部を指や手などを使用して覆い隠すことによっても変化させることができる（図３の第２実施形態）。この場合には、ユーザが発電素子の全体を指や手などを使用して覆い隠した後に、覆い隠した指や手などを取り除くと、表示部１０は図７（Ｂ）→図７（Ａ）（第一実施形態では図７（Ａ）ではなく図７（Ｃ）が表示される）、図７（Ｃ）→図７（Ａ）、図７（Ａ）→図７（Ａ）（第一実施形態では次に表示される画面は図７（Ａ）ではなく図７（Ｂ）である）のように、第１ページである電子マネーの残高が表示される。
【０１４５】
なお、表示部１０の大きさおよび形状は任意に設定することが可能である。
【０１４６】
次に表示部１０に表示されるデータの別の実施形態について図８を用いて説明する。
【０１４７】
図８が、図７（Ａ）と異なる点は、表示部１０に現在表示されている情報が何ページの情報であるかを示していることである。図８では、現在表示されている「電子マネーの残高」が１ページ目であることが分かるように「情報１」と表示されている。「鉄道乗車駅情報」が表示される場合には、２ページ目であることが分かるように「情報２」と表示され、「鉄道定期区間」が表示される場合には、３ページ目であることが分かるように「情報３」と表示される。
【０１４８】
このようにユーザが予め現在表示されている情報のページ数を知ることで、次のページに何が表示されるかを予測し、または、使用中にページ数と表示情報との対応付けを学習し、ユーザが表示させようとしている情報に早くたどりつくことが可能になる。
【０１４９】
次に表示部１０に表示されるデータの別の実施形態について図９を用いて説明する。
【０１５０】
これまでは、表示装置１００は主にＩＣカードに使用されることを想定して説明してきたが、本願はこれに限定されるものではなく、電子書籍のページ送りにも適用することが可能である。この場合にも、表示部１０の大きさおよび形状は任意に設定することが可能である。
【０１５１】
図９は、表示装置１００として電子書籍表示端末へ応用した場合の表示部１０での表示画面の一例を示した図である。
【０１５２】
図９では、電子書籍表示端末としての表示装置１００の表示部１０に、電子書籍の文章が縦方向に表示される。また、表示部１０の右上の隅に現在表示されているページが全体の何ページ目に該当するか示すページ情報が表示される。図９に表示されている文章は合計で２０ページある電子書籍の１ページ目であるので、「１／２０」と表示され、ユーザは現在表示されているページを容易に確認することができる。
【０１５３】
このように表示装置１００を電子書籍表示端末として使用した場合には、表示装置１００を、ネットワークを介したデータベースまたはサーバ装置と接続するように構成することができる。
【０１５４】
また、上記実施形態においては、表示装置１００に発電素子を1つ備える場合について説明してきたが、本願はこれに限定されるわけではなく、表示装置１００には複数の発電素子が備えられてもよい。
【０１５５】
複数の発電素子が備えられる場合には、発電素子は表示装置１００において隣接して備えられ、または、表示装置１００の両端に離れて備えられてもよい。また、発電部３０における発電量は、複数の発電素子の総発電量とすることができる。
【０１５６】
以上、本発明の実施形態について説明したが、本発明は上述した実施形態に限るものではなく、種々の変更が可能である。また、本発明の実施形態に記載された効果は、本発明から生じる最も好適な効果を列挙したに過ぎず、本発明による効果は、本発明の実施例に記載されたものに限定されるものではない。
【符号の説明】
【０１５７】
１０…表示部
２０…制御部
２１…表示制御部
２２…ＣＰＵ部
２３…記憶部
３０…発電部
３１…電圧検出部
４０…電力供給部
【図１】
0005699326.tif 000002
【図２】
0005699326.tif 000003
【図３】
0005699326.tif 000004
【図４】
0005699326.tif 000005
【図５】
0005699326.tif 000006
【図６】
0005699326.tif 000007
【図７】
0005699326.tif 000008
【図８】
0005699326.tif 000009
【図９】
0005699326.tif 000010
【図１０】
0005699326.tif 000011
【図１１】
0005699326.tif 000012